(57)【要約】【課題】直流機器に適合した電圧値の直流電源を供給することができる直流コンセント及びそれを用いたコンセント装置を提供する。【解決手段】直流コンセントＡの器体は、大角形連用配線器具の取付枠に３個まで並べて取着可能なモジュール寸法の１個分の大きさに形成されている。この直流コンセントＡは、外部の直流電源Ｅ１からの電線が接続される電源入力端子Ｔ１，Ｔ２と、コンセント本体の前面に設けられ、直流電源用のプラグが着脱自在に接続されるＩＥＣ規格に準拠したコンセント部２０と、電源入力端子Ｔ１，Ｔ２に供給された直流電源Ｅ１をコンセント部２０に適合した電圧値に変換してコンセント部２０に供給するＤＣ／ＤＣコンバータ部３０とを備えている。【選択図】図１
2010067458.tif 000002
【特許請求の範囲】
【請求項１】
日本工業規格に準拠した大きさであって、大角形連用配線器具の取付枠に３個まで並べて取着可能なモジュール寸法の１個分の大きさに形成されたコンセント本体と、コンセント本体の前面を取付枠の開口から前方に露出させた状態で取付枠の被係合部に係止離脱可能に係合する係合手段と、外部の直流電源からの電線が接続される電源入力端子と、コンセント本体の前面に設けられ、直流電源用のプラグが着脱自在に接続されるＩＥＣ規格に準拠したコンセント部とを備えるとともに、
前記コンセント部が、前記プラグの先端部が挿入される丸穴状のプラグ挿入用穴と、プラグ挿入用穴の内周面との間に隙間を設けた状態で、プラグ挿入用穴の底面から前方に向かって突出する円柱状の突出部と、当該突出部の前面に開口して、前記プラグが備えるプラグ側端子が差込接続される端子挿入用孔と、端子挿入用孔を通してコンセント本体内に挿入されるプラグ側端子に電気的に接続される刃受部材とを具備し、
電源入力端子に供給された直流電源をコンセント部に適合した電圧値に変換して前記刃受部材に供給するＤＣ／ＤＣコンバータ部を設けたこと特徴とする直流コンセント。
【請求項２】
前記ＤＣ／ＤＣコンバータ部によって電圧値が変換された直流電源を外部に出力するための出力端子を備えたことを特徴とする請求項１記載の直流コンセント。
【請求項３】
電源入力端子とＤＣ−ＤＣコンバータ部との間に、入力電源の極性をＤＣ−ＤＣコンバータ部の入力側の極性に適合させる極性修正回路を備えたことを特徴とする請求項１又は２の何れか１つに記載の直流コンセント。
【請求項４】
前記取付枠に、請求項１乃至３の何れか１つに記載の直流コンセントを２個取り付けるとともに、２個の直流コンセントのＤＣ−ＤＣコンバータ部が、入力電源を互いに異なる電圧値の直流電源に変換することを特徴とするコンセント装置。
【請求項５】
前記取付枠に、請求項１乃至３の何れか１つに記載の直流コンセントを３個取り付けるとともに、３個の直流コンセントの内、少なくとも１つの直流コンセントのＤＣ−ＤＣコンバータ部が、他の直流コンセントと異なる電圧値の直流電源に変換することを特徴とするコンセント装置。
【請求項６】
前記取付枠に、請求項１乃至３の何れか１つに記載の直流コンセントを少なくとも１個取り付けるとともに、請求項１乃至３の何れか１つに記載の直流コンセントにおいて前記ＤＣ−ＤＣコンバータ部を内蔵せず、直流入力端子に入力された直流電源をコンセント部からそのまま出力する直流コンセントを少なくとも１個取り付けたことを特徴とするコンセント装置。
【発明の詳細な説明】
【技術分野】
【０００１】
本発明は、直流コンセント及びそれを用いたコンセント装置に関するものである。
【背景技術】
【０００２】
従来、造営面に埋込配線器具用の取付枠を用いて埋込配設され、前面に設けたコンセント部から交流電源を供給するＡＣコンセントが提供されていた（例えば特許文献１参照）。
【特許文献１】特開２００２−２８９３０４号公報
【発明の開示】
【発明が解決しようとする課題】
【０００３】
ところで、ラジオや電話機などの機器は直流電源を駆動電源としており、このような直流機器に対して直流電源を供給するため、建物内に直流電源を供給するための電源線を配線するとともに、電源線を介して入力された直流電源を直流機器に供給するための直流コンセントを造営面に配設した直流配線システムが検討されている。
【０００４】
ここで、直流機器には定格電圧の異なるものが複数種類存在するのであるが、直流コンセントでは、電源線を介して入力された直流電源をそのまま直流機器に供給しているため、電圧値の異なる複数の電源線を配線しておく必要があり、配線の手間がかかるという問題があった。
【０００５】
本発明は上記問題点に鑑みて為されたものであり、その目的とするところは、直流機器に適合した電圧値の直流電源を供給することができる直流コンセント及びそれを用いたコンセント装置を提供することにある。
【課題を解決するための手段】
【０００６】
上記目的を達成するために、請求項１の発明は、日本工業規格に準拠した大きさであって、大角形連用配線器具の取付枠に３個まで並べて取着可能なモジュール寸法の１個分の大きさに形成されたコンセント本体と、コンセント本体の前面を取付枠の開口から前方に露出させた状態で取付枠の被係合部に係止離脱可能に係合する係合手段と、外部の直流電源からの電線が接続される電源入力端子と、コンセント本体の前面に設けられ、直流電源用のプラグが着脱自在に接続されるＩＥＣ規格に準拠したコンセント部とを備えるとともに、コンセント部が、プラグの先端部が挿入される丸穴状のプラグ挿入用穴と、プラグ挿入用穴の内周面との間に隙間を設けた状態で、プラグ挿入用穴の底面から前方に向かって突出する円柱状の突出部と、当該突出部の前面に開口して、プラグが備えるプラグ側端子が差込接続される端子挿入用孔と、端子挿入用孔を通してコンセント本体内に挿入されるプラグ側端子に電気的に接続される刃受部材とを具備し、電源入力端子に供給された直流電源をコンセント部に適合した電圧値に変換して刃受部材に供給するＤＣ／ＤＣコンバータ部を設けたこと特徴とする。
【０００７】
請求項２の発明は、請求項１の発明において、ＤＣ／ＤＣコンバータ部によって電圧値が変換された直流電源を外部に出力するための出力端子を備えたことを特徴とする。
【０００８】
請求項３の発明は、請求項１又は２の何れか１つの発明において、電源入力端子とＤＣ−ＤＣコンバータ部との間に、入力電源の極性をＤＣ−ＤＣコンバータ部の入力側の極性に適合させる極性修正回路を備えたことを特徴とする。
【０００９】
請求項４の発明は、取付枠に、請求項１乃至３の何れか１つに記載の直流コンセントを２個取り付けるとともに、２個の直流コンセントのＤＣ−ＤＣコンバータ部が、入力電源を互いに異なる電圧値の直流電源に変換することを特徴とする。
【００１０】
請求項５の発明は、取付枠に、請求項１乃至３の何れか１つに記載の直流コンセントを３個取り付けるとともに、３個の直流コンセントの内、少なくとも１つの直流コンセントのＤＣ−ＤＣコンバータ部が、他の直流コンセントと異なる電圧値の直流電源に変換することを特徴とする。
【００１１】
請求項６の発明は、取付枠に、請求項１乃至３の何れか１つに記載の直流コンセントを少なくとも１個取り付けるとともに、請求項１乃至３の何れか１つに記載の直流コンセントにおいてＤＣ−ＤＣコンバータ部を内蔵せず、直流入力端子に入力された直流電源をコンセント部からそのまま出力する直流コンセントを少なくとも１個取り付けたことを特徴とする。
【発明の効果】
【００１２】
請求項１の発明によれば、ＤＣ／ＤＣコンバータ部が、電源入力端子に供給された直流電源をコンセント部に適合した電圧値に変換して刃受部材に供給しているので、直流機器の定格電圧に対応した電圧値に変換することによって、直流機器の定格電圧に対応して直流電源をコンセント部から供給することができる。またコンセント部はＩＥＣ規格に準拠しているので、ＩＥＣ規格に準拠したプラグを備えた直流機器を接続して、使用することができる。さらに、コンセント本体はモジュール寸法の１個分の大きさに形成されているので、モジュール寸法の１個分の大きさに形成された他の配線器具、或いは、モジュール寸法の２個分の大きさに形成された他の配線器具と共に取付枠に取り付けることができ、使い勝手が向上するという効果がある。
【００１３】
請求項２の発明によれば、出力端子から電圧変換された直流電源を外部に出力することができる。
【００１４】
請求項３の発明によれば、電源入力端子に接続される直流電源の極性が反転しても、ＤＣ／ＤＣコンバータ部には適正な極性の直流電源が入力されるから、直流電源の接続間違いを無くすことができるという効果がある。
【００１５】
請求項４の発明によれば、２個の直流コンセントから電圧値が異なる２種類の直流電源を供給できるという効果がある。
【００１６】
請求項５の発明によれば、３個の直流コンセントから電圧値が異なる複数種類の直流電源を供給できるという効果がある。
【００１７】
請求項６の発明によれば、直流入力端子に入力された直流電源と、この直流電源の電圧値を変換した直流電源とをコンセント部から供給することができる。
【発明を実施するための最良の形態】
【００１８】
以下に本発明の実施の形態を図面に基づいて説明する。
【００１９】
（実施形態１）
本発明の実施形態１を図１〜図１０に基づいて説明する。本実施形態の直流コンセントは例えば造営面（壁など）の裏側に先行配線された直流電源からの電線が接続されるとともに、埋込配線器具用の取付枠を用いて造営面に埋込配設され、前面のコンセント部にプラグが接続される直流機器に対して直流電源を供給するものである。
【００２０】
図１（ａ）は本実施形態の直流コンセントＡの回路ブロック図であり、外部の直流電源Ｅ１からの電源線がそれぞれ接続される各一対の電源入力端子Ｔ１，Ｔ２と、直流機器の電源コードに接続されたプラグ（図示せず）が挿抜自在に接続されるコンセント部２０と、電源入力端子Ｔ１，Ｔ２に供給された直流電源（例えばＤＣ４８Ｖ電源）を、コンセント部２０に適合した電圧値（例えばＤＣ２４Ｖ）に変換してコンセント部２０に供給するＤＣ／ＤＣコンバータ部３０を備えている。尚、電源入力端子Ｔ１，Ｔ２はそれぞれ２個ずつ設けられており、各一対の電源入力端子Ｔ１，Ｔ２のうち、一方の端子は電源の入力用に、他方の端子は送り配線用にそれぞれ用いられている。
【００２１】
この直流コンセントＡの正面図を図２（ａ）に、左側面図を図２（ｂ）に、下面図を図２（ｃ）に、背面図を図２（ｄ）に、断面図を図４にそれぞれ示す。尚、以下の説明では特に断りが無いかぎり、図２（ａ）の向きにおいて上下左右の方向を規定し、また図２（ａ）における正面を前面という。したがって、図２（ｂ）における左側は後側となる。
【００２２】
直流コンセントＡは合成樹脂製の器体１（コンセント本体）を備え、この器体１は、前面が開口した略箱状の合成樹脂製のボディ２と、後面が開口した略箱状の合成樹脂製のカバー３とを、金属製の組立枠４，４にて結合して組み立てられる。
【００２３】
カバー３の前面には突台５が一体に突設され、突台５の前面には直流電源用のプラグが着脱自在に接続されるコンセント部２０が設けられている。また突台５の左右両側の肩部６には、略コ字状に形成された組立枠４の中央片がそれぞれ載置される。組立枠４の両脚片は、カバー３およびボディ２の側面にそれぞれ形成された係止凹部７，８に挿入され、両脚片の先端部に設けた略Ｖ形の引掛爪４ｃ，４ｃを拡開させて係止凹部８の両側段部に係止させることによって、ボディ２とカバー３とが組立枠４，４により結合される。なお組立枠４の中央片の外側縁には、合成樹脂製の取付枠８０（図３参照）に設けられた取付孔に係合可能な一対の係止爪４ａが突設されるとともに、中央片の内側縁から前方に突出する突出片に、金属製の取付枠（図示せず）に取り付ける際に取付枠の係止爪が係止される係止孔４ｂが設けられている。ここにおいて、係止爪４ａ及び係止孔４ｂから、前面を取付枠の開口から前方に露出させた状態で、取付枠の被係合部に係止離脱可能に係合する係合手段が構成される。
【００２４】
一方、ボディ２の内部を隔壁９などで仕切ることによって、ボディ２の左右両側には端子収納室１０，１０が設けられている。各端子収納室１０には、外部の直流電源からの電線が接続される端子部１１（電源入力端子）がそれぞれ収納されている。ボディ２の底面には、図２（ｄ）及び図４に示すように、各端子収納室１０と外部とを連通する各一対の電線挿入孔２ａと、解除釦操作孔２ｂとがそれぞれ形成されている。尚、直流電源からの電線には極性があるので、電線の誤接続を防止するため、図２（ｄ）に示すようにボディ２の底面において電線挿入孔２ａの近傍に電源の種別や極性を示す文字や記号（例えば「ＤＣ４８Ｖ」の文字や「＋」、「−」といった記号）を印刷などの方法で表示しても良く、誤接続の虞を低減することができる。
【００２５】
各端子部１１は、図４に示すように、電線挿入孔２ａから内部に挿入された電線に接続される側面視略コ字形の端子板１２と、２個の電線挿入孔２ａから器体１内に挿入された電線の芯線をそれぞれ端子板１２に圧接接続する２個の鎖錠ばね１３と、端子板１２と電線との接続を外すために２個１組の鎖錠ばね１３を圧接解除方向に同時に撓ませる解除釦１４とを具備した速結端子構造を有している。ここで、端子板１２，１２はＤＣ−ＤＣコンバータ部３０の入力端に電気的に接続されており、ＤＣ−ＤＣコンバータ部３０の出力端は、プラグＢのプラグ側端子であるピン端子５４ａ，５４ｂ（図４及び図９参照）を受ける刃受部材１５，１５に電気的に接続されている。なお刃受部材１５は弾性を有する帯板を逆Ω字形に曲成して形成されており、底片の両側から突出する一対の刃受ばね片１５ａは互いに対向配置され、両者の間隔が上方ほど幅狭となるように傾斜し、且つ、上端間はピン端子５４ａ，５４ｂが挿入しやすいよう上方ほど間隔が広がるように傾斜している。
【００２６】
そして、端子板１２のコ字状部分に鎖錠ばね１３が配置されると、端子板１２の一方の側片１２ａに鎖錠ばね１３に設けた鎖錠片１３ａ及び接触片１３ｂが対向する。鎖錠片１３ａ及び接触片１３ｂは、弾性を有する導電材料の帯板の両端部を曲成して中央片１３ｃの両端部に形成されている。鎖錠片１３ａは中央片１３ｃとの連結部位から先端縁に向かって端子板１２の側片１２ａに近づく向きに傾斜し、接触片１３ｂは略Ｓ字形に曲成されている。また、中央片１３ｃは略平板状に形成されていて端子板１２の他方の側片１２ｂに当接する。なお端子板１２は、図４に示すように各端子収納室１０内に一対の鎖錠ばね１３と解除釦１４とが納装された後、端子板１２のコ字状部分に鎖錠ばね１３及び解除釦１４を収めるようにして端子収納室１０に収納されるのである。
【００２７】
この端子部１１に電線を接続するに当たっては、電線の被覆が剥かれた芯線をボディ２の底面に開口する電線挿入孔２ａに挿入すると、この芯線が鎖錠ばね１３の鎖錠片１３ａ及び接触片１３ｂと端子板１２の側片１２ａとの間に挿入され、鎖錠片１３ａの先端が電線に食い込んで抜け止めがなされるとともに、鎖錠片１３ａ及び接触片１３ｂによって電線が端子板１２の側片１２ａに圧接されることにより、電線と端子板１２との導通（接続）が図られる。すなわち端子部１１として速結端子構造のものを用いることで、特別な工具を必要とせずに電線の接続作業が行え、電線接続作業の作業性を向上させることができる。また電線を取り外す際には、解除釦操作孔２ｂを通して挿入されたマイナスドライバなどの工具により解除釦１４が押動されると、解除釦１４に押されて鎖錠ばね１３の鎖錠片１３ａが側片１２ａから離れる向きに撓められ、鎖錠片１３ａの先端が電線から引き離されるので、電線を容易に引き抜くことができ、電線の取り外し作業を容易に行うことができる。
【００２８】
ここで、直流コンセントＡの器体１は、日本工業規格（ＪＩＳ  Ｃ  ８３０３参照）に準拠した大きさであって、大角形連用配線器具の取付枠８０（ＪＩＳ  Ｃ  ８３７５参照）に３個まで並べて取着可能なモジュール寸法の１個分の大きさ（この大きさを１個モジュール寸法という。）に形成されている。図３（ｂ）は直流コンセントＡを取付枠８０に取り付ける前の状態を示しており、この取付枠８０は、長手方向に対向する取付片８１にボックスねじ用の長孔８２と、はさみ金具が取着される取着孔（図示せず）と、プレートねじ用のねじ孔８３とが少なくとも設けてある。また、取付枠８０の長手方向に沿う側片８５，８６のうち、一方の側片８５には２個で１組となった係止孔（図示せず）が３組ずつ並設され、他方の側片８６には横長の板片８７が垂設されている。この板片８７には開口部８９が長手方向に３個並設され、各開口部８９の下縁には突出片８８が上方へ突設してある。
【００２９】
而して、この直流コンセントＡを造営面に埋込配設する際には、先ず直流コンセントＡの一方の組立枠４に設けた係止爪４ａを側片８５の係止孔に挿入したのち、他方の組立枠４の係止爪４ａを突出片８８の両側の肩部８８ａに載せるようにして開口部８９に挿入すれば、図３（ａ）に示すように突台５の前面を開口８４から露出させた状態で器体１を取付枠８０に取り付けることができる。次に造営面の裏側に先行配線された直流電源Ｅ１からの電源線（図示せず）を、造営面に開口する埋込用孔を通して室内側に引き出した後、この電線の被覆が剥かれた芯線を電線挿入孔２ａ，２ａに挿入して端子部１１，１１に接続する。この時、直流電源Ｅ１が端子部１１，１１を介してＤＣ−ＤＣコンバータ部３０に供給され、ＤＣ−ＤＣコンバータ部３０によって電圧値が変換された直流電源がコンセント部２０に出力される。そして、器体１の後部を埋込用孔に埋設するようにして取付枠８０を造営面に固定することにより、直流コンセントＡの器体１が取付枠８０を用いて造営面に埋込配設される。
【００３０】
ここにおいて、直流コンセントＡの器体１は１個モジュール寸法に形成されているので、１個モジュール寸法或いは２個モジュール寸法に形成された他の配線器具と共に取付枠８０に取り付けることができ、例えば図５（ａ）に示すように直流コンセントＡを、同じく１個モジュール寸法に形成されたＡＣコンセント１００及び電話用のモジュラコンセント１０１と共に取付枠８０に並設することができる。尚、図５（ａ）中の９０は取付枠８０の前面側に取着される化粧プレートであり、化粧プレート９０の開口窓９１から直流コンセントＡの突台５の前面が露出するようになっている。また図５（ｂ）に示すように、直流コンセントＡを、それぞれ１個モジュール寸法に形成された電話用のモジュラコンセント１０１及びＬＡＮ用のモジュラコンセント１０２と共に取付枠８０に取り付けることも可能であるし、図５（ｃ）に示すように、直流コンセントＡを、それぞれ１個モジュール寸法に形成されたＴＶ用の同軸コンセント１０３及び電話用のモジュラコンセント１０１と共に取付枠８０に取り付けることもできる。
【００３１】
次に本実施形態が備えるコンセント部２０について説明する。コンセント部２０及びコンセント部２０に着脱自在に接続されるプラグＢはそれぞれＩＥＣ規格（ＣＥＩ／ＩＥＣ  ９０６−３）に準拠しており、ＩＥＣ規格（ＣＥＩ／ＩＥＣ  ９０６−３）では、８種類（交流及び直流の６Ｖ，１２Ｖ，２４Ｖ，４８Ｖ）の安全特別低電圧（ＳＥＬＶ：Safety Extra Low Voltage）電源に対してコネクタの形状、寸法および極配置が規定されている。
【００３２】
先ず、直流機器側のプラグＢについて図８〜図１０を参照して説明する。プラグＢは例えば直流機器からの電線６０の端部に接続されている。プラグＢは略円柱状のプラグ本体５１を備え、プラグ本体５１の先端側には後側よりも細径となる円筒状の嵌合部５２が一体に設けられている。嵌合部５２の前面には、丸穴状に凹んだ嵌合穴５３が開口しており、嵌合穴５３の内周面には基準位置を示す基準リブ５５がプラグ挿抜方向（図９（ａ）において紙面と垂直な方向）に沿って突設されている。そして、プラグ本体１１の中心位置を通り、当該中心位置と基準リブ５５とを結ぶ線分に対して直交する直線上には、中心位置に対して対称な位置に、プラグ本体１１の軸方向に沿って延びる丸棒状の２本のピン端子５４ａ，５４ｂが配置されている。
【００３３】
ここで、直流電源用のプラグＢでは、図１０（ａ）に示すように基準リブ５５を上側に見た時に右側に位置するピン端子５４ａが正極側、左側に位置するピン端子５４ｂが負極側のピン端子となっている。また嵌合穴５３の内周面には、電源の種類（直流又は交流の別、及び定格電圧）に応じた位置に、プラグ挿抜方向に沿って延びる誤接続防止用の識別リブ５６が突設されている。図１０（ａ）はＤＣ電源用のプラグＢに設けられた識別リブ５６の位置を示し、電源電圧がＤＣ６Ｖ，１２Ｖ，２４Ｖ，４８Ｖの場合、それぞれ、基準リブ５５の位置を基準（０°）として左回りに１２０°，１５０°，２１０°，２４０°の位置に識別リブ５６が１箇所ずつ形成されている。ここにおいて、図８及び図９に示すプラグはＤＣ２４Ｖ用であり、基準リブ５５に対して左回りに２１０°の位置に識別リブ５６が形成されている。なお図１０（ｂ）はＡＣ電源に用いられるプラグＢの識別リブ５６を示しており、電源電圧がＡＣ６Ｖ，１２Ｖ，２４Ｖ，４８Ｖの場合、それぞれ、基準リブ５５の位置を基準として左回りに３０°，６０°，３００°，３３０°の位置に識別リブ５６が１箇所ずつ形成されている。
【００３４】
一方、コンセント部２０は、図６及び図７に示すように、プラグＢの先端部（嵌合部５２）が挿入される丸穴状のプラグ挿入用穴２１と、プラグ挿入用穴２１の内周面との間に隙間を設けた状態で、プラグ挿入用穴２１の底面から前方に向かって突出して嵌合穴５３内に挿入される円柱状の突出部２２と、当該突出部２２の前面に開口して、プラグＢの先端部に設けたピン端子５４ａ，５４ｂが差込接続される一対の端子挿入用孔２３ａ，２３ｂと、端子挿入用孔２３ａ，２３ｂを通して器体１内に挿入されるピン端子５４ａ，５４ｂにそれぞれ電気的に接続される上記の刃受部材１５，１５とを備えている。突出部２２の側周面には基準位置を示す嵌合溝２４が形成され、突出部２２の中心位置を通り、当該中心位置と嵌合溝２４とを結ぶ線分に対して直交する直線上には、中心位置に対して対称な位置に端子挿入用孔２３ａ，２３ｂが開口している。尚、図６（ａ）に示すように嵌合溝２４を上側に見た時に左側に位置する端子挿入用孔２３ａが正極側、右側に位置する端子挿入用孔２３ｂが負極側の端子に対応している。
【００３５】
また突出部２２の側周面には、電源の種類（直流又は交流の別、及び定格電圧）に応じた位置に、対応するプラグＢの識別リブ５６が嵌合する誤接続防止用の嵌合溝２５（誤接続防止溝）が形成されている。図６（ａ）はＤＣ電源用のコンセント部３に設けられた嵌合溝２５の位置を示し、電源電圧がＤＣ６Ｖ，１２Ｖ，２４Ｖ，４８Ｖの場合、それぞれ、嵌合溝２４の位置を基準（０°）として右回りに１２０°，１５０°，２１０°，２４０°の位置に嵌合溝２５が１箇所ずつ形成されている。ここにおいて、図２及び図３に示すコンセント部３はＤＣ２４Ｖ用であり、嵌合溝２４の位置を基準として右回りに２１０°の位置に嵌合溝２５が形成されている。また図１（ｂ）に示す直流コンセントＡでは、ＤＣ−ＤＣコンバータ部３０が入力電源（ＤＣ４８Ｖ）を例えばＤＣ１２Ｖに変換しており、コンセント部２０では、嵌合溝２４の位置を基準として右回りに１５０°の位置に嵌合溝２５が形成されている。また図１（ｃ）に示す直流コンセントＡでは、ＤＣ−ＤＣコンバータ部３０が入力電源（ＤＣ４８Ｖ）を例えばＤＣ６Ｖに変換しており、コンセント部２０では、嵌合溝２４の位置を基準として右回りに１２０°の位置に嵌合溝２５が形成されている。このように、コンセント部３では、突出部２２の側周面において給電電圧に応じた位置に、プラグＢに設けた識別リブ５６が係入する嵌合溝２５が形成されているので、識別リブ５６及び嵌合溝２５の位置によって、供給電圧の異なるプラグＢがコンセント部２０に差込接続されるのを防止することができ、直流機器に適合した電源を供給することができる。なお図７（ｂ）はコンセント部２０をＡＣ電源用とした場合の嵌合溝２５の位置を示し、電源電圧がＡＣ６Ｖ，１２Ｖ，２４Ｖ，４８Ｖの場合、それぞれ、嵌合溝２４の位置を基準（０°）として右回りに３０°，６０°，３００°，３３０°の位置に嵌合溝２５が１箇所ずつ形成されている。
【００３６】
而して、コンセント部２０に適合したプラグＢの嵌合部５２がプラグ挿入用穴２１に挿入されると、嵌合部５２の嵌合穴５３に突出部２２が挿入されるとともに、嵌合部５２の内周面に設けた基準リブ５５及び識別リブ５６がそれぞれ突出部２２の嵌合溝２４，２５に係入される。このとき、突出部２２の端子挿入用孔２３ａ，２３ｂを通して、突出部２２内に挿入されたピン端子５４ａ，５４ｂは、それぞれ、刃受部材１５，１５に電気的に接続され、ピン端子５４ａ，５４ｂに刃受部材１５，１５が弾接する弾接力などによって、プラグＢがコンセント部２０に接続された状態で保持される。なお、コンセント部２０では、突出部２２の前面が器体１（カバー３）の前面よりも後退した位置にあるので、コンセント部２０に接続されたプラグＢの器体１前面からの突出量を小さくできる。
【００３７】
本実施形態の直流コンセントＡは上記のような構成を有しており、内蔵するＤＣ−ＤＣコンバータ部３０によって、電源入力端子Ｔ１，Ｔ２に入力された直流電源の電圧値が所定の電圧値に変換されるので、入力電源の電源電圧を使用する直流機器に適合した電圧値に変換することができ、定格電圧値の異なる複数種類の直流機器に対して適合する電圧値の直流電源を供給することができる。
【００３８】
また直流コンセントＡのコンセント部２０はＩＥＣ規格に準拠しているので、ＩＥＣ規格に準拠したプラグＢを備える直流機器を接続して、使用することができる。さらに、直流コンセントＡの器体１はＪＩＳ規格に準拠した大きさに形成されており、大角形連用配線器具の取付枠に３個まで取着可能なモジュール寸法の１個分の大きさ（１個モジュール寸法）に形成されているので、１個モジュール寸法に形成された他の配線器具、或いは、モジュール寸法の２個分の大きさ（２個モジュール寸法）に形成された他の配線器具と共に取付枠８０に取り付けることができ、使い勝手が向上するという利点もある。
【００３９】
（実施形態２）
本発明の実施形態２を図１１に基づいて説明する。本実施形態では、実施形態１で説明した直流コンセントＡにおいて、図１１（ａ）の回路ブロック図に示すように、ＤＣ／ＤＣコンバータ部３０によって電圧値が変換された直流電源を外部に出力するための出力端子Ｔ３，Ｔ４を設けてある。尚、出力端子Ｔ３，Ｔ４以外の構成は実施形態１と同様であるので、実施形態１と共通する構成要素には同一の符号を付して、その説明は省略する。
【００４０】
図１１（ｂ）は直流コンセントＡの背面図を示しており、本実施形態ではボディ２背面の左右両側に開口する各一対の電線挿入口２ａの内、例えば図中左側に開口する２個の電線挿入口２ａ，２ａが電源入力端子Ｔ１，Ｔ２に対応し、図中右側に開口する２個の電線挿入口２ａ，２ａが出力端子Ｔ３，Ｔ４に対応している。
【００４１】
而して、本実施形態では電源入力端子Ｔ１，Ｔ２に外部の直流電源Ｅ１（例えばＤＣ４８Ｖ）からの電源線を接続すると、ＤＣ−ＤＣコンバータ部３０によって入力電源の電圧値が所定の電圧値（例えばＤＣ２４Ｖ）に変換されてコンセント部２０に供給されるとともに、出力端子Ｔ３，Ｔ４に供給されるようになっており、出力端子Ｔ３，Ｔ４に接続される電源線（図示せず）を介して外部に電圧変換後の直流電源を供給できるようになっている。尚、ボディ２の底面には電源線の誤接続を防止するため、図１１（ｂ）に示すように電線挿入孔２ａの近傍に電源の種別や極性を示す文字や記号（例えば「ＤＣ４８Ｖ」「ＤＣ２４」の文字や「＋」、「−」といった記号）を印刷などの方法で表示しても良く、誤接続の虞を低減することができる。
【００４２】
（実施形態３）
本発明の実施形態３を図１２に基づいて説明する。本実施形態では、実施形態１で説明した直流コンセントＡにおいて、電源入力端子Ｔ１，Ｔ２とＤＣ−ＤＣコンバータ部３０との間に、入力電源の極性をＤＣ−ＤＣコンバータ部３０の入力側の極性に適合させる極性修正回路３１が設けられている。尚、極性修正回路３１以外は実施形態１の直流コンセントＡと同様であるので、実施形態１と共通する構成要素には同一の符号を付して、その説明は省略する。
【００４３】
極性修正回路３１は、４個のダイオードＤ１〜Ｄ４をブリッジ接続して構成される全波整流回路からなり、図１２（ｂ）に示すように端子Ｔ１に直流電源Ｅ１の正極側が、端子Ｔ２に直流電源Ｅ１の負極側が接続された場合と、図１２（ｃ）に示すように端子Ｔ１に直流電源Ｅ１の正極側が、端子Ｔ２に直流電源Ｅ１の負極側が接続された場合とで、ＤＣ−ＤＣコンバータ部３０の入力側に供給される電源の極性を同一の極性にできる。したがって、電源入力端子Ｔ１，Ｔ２に接続される直流電源の極性が入れ替わった場合でも、ＤＣ−ＤＣコンバータ部３０の入力側には適合した極性の直流電源が供給されるから、ＤＣ−ＤＣコンバータ部３０の入力端に逆極性の直流電源が接続されることはなく、ＤＣ−ＤＣコンバータ部３０の損傷を防止することができる。
【００４４】
尚、本実施形態の極性修正回路３１を実施形態２で説明した直流コンセントＡに設けても良く、実施形態２の直流コンセントＡにおいて、電源入力端子Ｔ１，Ｔ２に接続される直流電源Ｅ１の極性が入れ替わった場合でも、ＤＣ−ＤＣコンバータ部３０の入力端に逆極性の直流電源が接続されることはないから、ＤＣ−ＤＣコンバータ部３０の損傷を防止することができる。
【００４５】
（実施形態４）
上述の実施形態１〜３で説明した直流コンセントを用いるコンセント装置Ｃの実施形態を図１３〜図１６に基づいて説明する。尚、コンセント装置Ｃに用いられる個々の直流コンセントは実施形態１〜３で説明した直流コンセントと同様の構成を有しているので、共通する構成要素には同一の符号を付して、その説明は省略する。
【００４６】
本実施形態のコンセント装置Ｃは、入力電源（例えばＤＣ４８Ｖ）を互いに異なる電圧値の直流電源に変換する２個の直流コンセントＡ１，Ａ２を組み合わせて構成される。２個の直流コンセントＡ１，Ａ２は、実施形態１〜３で説明した直流コンセントと同様の構成を有し、図１５に示すように取付枠８０に対して上下に並べて配設されている。尚、直流コンセントＡ１，Ａ２はそれぞれ１個モジュール寸法に形成されているので、同じく１個モジュール寸法に形成された他の配線器具と共に取付枠８０に取り付けることができ、例えば図１６に示す例では、１個モジュール寸法に形成されたＡＣコンセント１００と共に取付枠８０に並設してある。
【００４７】
コンセント装置Ｃを構成する２個の直流コンセントＡ１，Ａ２の内、一方の直流コンセントＡ１の電源入力端子Ｔ１，Ｔ２には直流電源Ｅ１（ＤＣ４８Ｖ）からの電源線６２が接続されている。また、他方の直流コンセントＡ２の電源入力端子Ｔ１，Ｔ２は、直流コンセントＡ１の送り配線用の電源入力端子Ｔ１，Ｔ２と送り配線６３，６３を介してそれぞれ接続され、直流コンセントＡ１を介して直流電源Ｅ１が供給されている。
【００４８】
この時、直流コンセントＡ１のＤＣ−ＤＣコンバータ部３０では、電源入力端子Ｔ１，Ｔ２から入力される直流電源Ｅ１（ＤＣ４８Ｖ）の電圧値を例えばＤＣ２４Ｖに変換して、コンセント部２０に出力する。また、直流コンセントＡ２のＤＣ−ＤＣコンバータ部３０では、電源入力端子Ｔ１，Ｔ２から入力される直流電源Ｅ１（ＤＣ４８Ｖ）の電圧値を例えばＤＣ１２Ｖに変換して、コンセント部２０に出力する。
【００４９】
而して本実施形態のコンセント装置Ｃでは、２個の直流コンセントＡ１，Ａ２により入力電源Ｅ１の電圧値を２種類の電圧値に変換した直流電源を直流機器に対して供給することができ、定格電圧の異なる２種類の直流機器が使用される場合でも、両方の機器に適合した電圧値の直流電源を供給することが可能になる。
【００５０】
（実施形態５）
上述の実施形態１〜３で説明した直流コンセントを用いるコンセント装置Ｃの他の形態を図１３〜図１６に基づいて説明する。尚、コンセント装置Ｃに用いられる個々の直流コンセントは実施形態１〜３で説明した直流コンセントと同様の構成を有しているので、共通する構成要素には同一の符号を付して、その説明は省略する。
【００５１】
本実施形態のコンセント装置Ｃは、入力電源（例えばＤＣ４８Ｖ）を互いに異なる電圧値の直流電源に変換する３個の直流コンセントＡ１，Ａ２，Ａ３を組み合わせて構成される。３個の直流コンセントＡ１，Ａ２，Ａ３は、図１９に示すように取付枠８０に対して上下に並べて配設されている。
【００５２】
そして、コンセント装置Ｃを構成する３個の直流コンセントＡ１，Ａ２，Ａ３の内、直流コンセントＡ１の電源入力端子Ｔ１，Ｔ２には、図１７及び図１８（ｂ）に示すように直流電源Ｅ１（ＤＣ４８Ｖ）からの電源線６２が接続されている。直流コンセントＡ２の電源入力端子Ｔ１，Ｔ２は、直流コンセントＡ１の送り配線用の電源入力端子Ｔ１，Ｔ２と送り配線６３，６３を介してそれぞれ接続され、直流コンセントＡ１を介して直流電源Ｅ１が供給されている。また、直流コンセントＡ３の電源入力端子Ｔ１，Ｔ２は、直流コンセントＡ２の送り配線用の電源入力端子Ｔ１，Ｔ２と送り配線６３，６３を介してそれぞれ接続され、直流コンセントＡ１，Ａ２を介して直流電源Ｅ１が供給されている。
【００５３】
この時、直流コンセントＡ１のＤＣ−ＤＣコンバータ部３０では、電源入力端子Ｔ１，Ｔ２から入力される直流電源Ｅ１（ＤＣ４８Ｖ）の電圧値を例えばＤＣ２４Ｖに変換して、コンセント部２０に出力する。また、直流コンセントＡ２のＤＣ−ＤＣコンバータ部３０では、電源入力端子Ｔ１，Ｔ２から入力される直流電源Ｅ１（ＤＣ４８Ｖ）の電圧値を例えばＤＣ１２Ｖに変換して、コンセント部２０に出力する。また更に、直流コンセントＡ３のＤＣ−ＤＣコンバータ部３０では、電源入力端子Ｔ１，Ｔ２から入力される直流電源Ｅ１（ＤＣ４８Ｖ）の電圧値を例えばＤＣ６Ｖに変換して、コンセント部２０に出力する。
【００５４】
而して本実施形態のコンセント装置Ｃでは、３個の直流コンセントＡ１，Ａ２，Ａ３により入力電源Ｅ１の電圧値を３種類の電圧値に変換した直流電源を直流機器に対して供給することができ、定格電圧の異なる３種類の直流機器が使用される場合でも、各々の機器に適合した電圧値の直流電源を供給することが可能になる。尚、３個の直流コンセントＡ１，Ａ２，Ａ３の内、少なくとも１つの直流コンセントのＤＣ−ＤＣコンバータ部３０が、他の直流コンセントと異なる電圧値の直流電源に変換するようにしても良く、３個の直流コンセントＡ１，Ａ２，Ａ３から複数種類の直流電源を供給することができる。
【００５５】
（実施形態６）
上述の実施形態１〜３で説明した直流コンセントＡと、ＤＣ−ＤＣコンバータ部３０を内蔵しない直流コンセントＤとを用いるコンセント装置Ｃの実施形態を図２０及び図２１に基づいて説明する。尚、直流コンセントＡは、実施形態１〜３で説明した直流コンセントと同様の構成を有しているので、共通する構成要素には同一の符号を付して、その説明は省略する。
【００５６】
本実施形態のコンセント装置Ｃは、入力電源（例えばＤＣ４８Ｖ）をそのまま出力する直流コンセントＤと、入力電源を電圧値の異なる直流電源に変換して出力する直流コンセントＡとを組み合わせて構成され、これら２個の直流コンセントＤ，Ａは、図２１（ａ）（ｂ）に示すように図示しない取付枠に対して上下に並べて配設される。
【００５７】
直流コンセントＤは、実施形態１〜３で説明した直流コンセントＡと同様に１個モジュール寸法に形成されて、前面にＩＥＣ規格に準拠したコンセント部２０を備えており、電源入力端子Ｔ１，Ｔ２に入力された直流電源をそのままコンセント部２０から出力するようになっている。すなわち直流コンセントＤは、ＤＣ−ＤＣコンバータ部３０を備えていない点を除いては実施形態１で説明した直流コンセントＡと同様の構成を有しているので、共通する構成要素には同一の符号を付して、その説明は省略する。
【００５８】
そして、コンセント装置Ｃを構成する２個の直流コンセントＤ，Ａの内、一方の直流コンセントＤの電源入力端子Ｔ１，Ｔ２には、図２０及び図２１（ｂ）に示すように、直流電源Ｅ１（ＤＣ４８Ｖ）からの電源線６２が接続されている。また、他方の直流コンセントＡの電源入力端子Ｔ１，Ｔ２は、直流コンセントＤの送り配線用の電源入力端子Ｔ１，Ｔ２に送り配線６３，６３を介してそれぞれ接続され、直流コンセントＤを介して直流電源Ｅ１が供給されている。
【００５９】
この時、直流コンセントＤでは、電源入力端子Ｔ１，Ｔ２から入力される直流電源Ｅ１（ＤＣ４８Ｖ）をそのままコンセント部２０に出力する。また直流コンセントＡのＤＣ−ＤＣコンバータ部３０では、電源入力端子Ｔ１，Ｔ２から入力される直流電源Ｅ１（ＤＣ４８Ｖ）の電圧値を例えばＤＣ１２Ｖに変換して、コンセント部２０に出力する。
【００６０】
而して本実施形態のコンセント装置Ｃでは、直流コンセントＤから入力電源Ｅ１をそのまま直流機器へ供給させるとともに、直流コンセントＡにより入力電源Ｅ１の電圧値を変換した直流電源を直流機器に供給させることができ、定格電圧の異なる２種類の直流機器が使用される場合でも、両方の機器に適合した電圧値の直流電源を供給することが可能になる。
【００６１】
ところで、図２０及び図２１に示すコンセント装置Ｃでは、ＤＣ−ＤＣコンバータ部３０を内蔵しない１個の直流コンセントＤを、ＤＣ−ＤＣコンバータ部３０を内蔵した１個の直流コンセントＡと組み合わせているが、図２２及び図２３に示すように、ＤＣ−ＤＣコンバータ部３０を内蔵しない１個の直流コンセントＤを、ＤＣ−ＤＣコンバータ部３０を内蔵した２個の直流コンセントＡ１，Ａ２と組み合わせてコンセント装置Ｃを構成しても良い。
【００６２】
このコンセント装置Ｃは、入力電源（例えばＤＣ４８Ｖ）をそのまま出力する直流コンセントＤと、入力電源を電圧値が互いに異なる直流電源に変換する２個の直流コンセントＡ１，Ａ２とを組み合わせて構成される。これら３個の直流コンセントＤ，Ａ１，Ａ２は、図２３（ａ）（ｂ）に示すように図示しない取付枠に対して上下に並べて配設される。
【００６３】
そして、コンセント装置Ｃを構成する３個の直流コンセントＤ，Ａ１，Ａ２の内、直流コンセントＤの電源入力端子Ｔ１，Ｔ２には、図２２及び図２３（ｂ）に示すように、直流電源Ｅ１（ＤＣ４８Ｖ）からの電源線６２が接続されている。また、直流コンセントＡ１の電源入力端子Ｔ１，Ｔ２は、直流コンセントＤの送り配線用の電源入力端子Ｔ１，Ｔ２と送り配線６３，６３を介してそれぞれ接続され、直流コンセントＤを介して直流電源Ｅ１が供給されている。また更に、直流コンセントＡ２の電源入力端子Ｔ１，Ｔ２は、直流コンセントＡ１の送り配線用の電源入力端子Ｔ１，Ｔ２と送り配線６３，６３を介してそれぞれ接続され、直流コンセントＤ，Ａ１を介して直流電源Ｅ１が供給されている。
【００６４】
この時、直流コンセントＤでは、電源入力端子Ｔ１，Ｔ２から入力される直流電源Ｅ１（ＤＣ４８Ｖ）をそのままコンセント部２０に出力する。また直流コンセントＡ１のＤＣ−ＤＣコンバータ部３０では、電源入力端子Ｔ１，Ｔ２から入力される直流電源Ｅ１（ＤＣ４８Ｖ）の電圧値を例えばＤＣ１２Ｖに変換して、コンセント部２０に出力する。さらに直流コンセントＡ２のＤＣ−ＤＣコンバータ部３０では、電源入力端子Ｔ１，Ｔ２から入力される直流電源Ｅ１（ＤＣ４８Ｖ）の電圧値を例えばＤＣ６Ｖに変換して、コンセント部２０に出力する。
【００６５】
而して本実施形態のコンセント装置Ｃでは、直流コンセントＤから入力電源Ｅ１をそのまま直流機器へ供給させるとともに、直流コンセントＡ１，Ａ２により入力電源Ｅ１の電圧値を互いに異なる電圧値に変換した２種類の直流電源を直流機器に供給させることができ、したがって定格電圧の異なる３種類の直流機器が使用される場合でも、各々の機器に適合した電圧値の直流電源を供給することが可能になる。
【図面の簡単な説明】
【００６６】
【図１】（ａ）〜（ｃ）は実施形態１の直流コンセントの回路ブロック図である。
【図２】同上を示し、（ａ）は正面図、（ｂ）は左側面図、（ｃ）は下面図、（ｄ）は背面図である。
【図３】（ａ）は同上を取付枠に取り付けた状態の斜視図、（ｂ）は同上を取付枠に取り付ける前の状態の斜視図である。
【図４】同上にプラグを接続する前の状態を示す断面図である。
【図５】（ａ）〜（ｃ）は同上の施工例を示す説明図である。
【図６】同上のコンセント部を示し、（ａ）はコンセント部の拡大図、（ｂ）はＣ−Ｃ断面図、（ｃ）はＤ−Ｄ断面図である。
【図７】同上のコンセント部に設けられた切欠溝の位置を示し、（ａ）は直流電源の場合の説明図、（ｂ）は交流電源の場合の説明図である。
【図８】同上に接続されるプラグを示し、（ａ）は正面図、（ｂ）はＥ−Ｅ断面図、（ｃ）はＦ−Ｆ断面図である。
【図９】同上に接続されるプラグの外観斜視図である。
【図１０】同上に接続されるプラグの識別リブを示し、（ａ）は直流電源の場合の識別リブの配置説明図、（ｂ）は交流電源の場合の識別リブの配置説明図である。
【図１１】実施形態２の直流コンセントを示し、（ａ）は回路ブロック図、（ｂ）は背面図である。
【図１２】実施形態３の直流コンセントを示し、（ａ）は回路ブロック図、（ｂ）（ｃ）は電流経路の説明図である。
【図１３】実施形態４のコンセント装置の回路ブロック図である。
【図１４】同上のコンセント装置を示し、（ａ）は正面図、（ｂ）は背面図である。
【図１５】同上のコンセント装置を取付枠に取り付けた状態の斜視図である。
【図１６】同上のコンセント装置の施工状態を示す正面図である。
【図１７】実施形態５のコンセント装置の回路ブロック図である。
【図１８】同上のコンセント装置を示し、（ａ）は正面図、（ｂ）は背面図である。
【図１９】同上のコンセント装置を取付枠に取り付けた状態の斜視図である。
【図２０】実施形態６のコンセント装置の回路ブロック図である。
【図２１】同上のコンセント装置を示し、（ａ）は正面図、（ｂ）は背面図である。
【図２２】実施形態７のコンセント装置の回路ブロック図である。
【図２３】同上のコンセント装置を示し、（ａ）は正面図、（ｂ）は背面図である。
【符号の説明】
【００６７】
Ａ  直流コンセント
Ｂ  プラグ
Ｅ１  直流電源
Ｔ１，Ｔ２  電源入力端子
１  器体（コンセント本体）
４ａ  係止爪（係合手段）
４ｂ  係止孔（係合手段）
１５  刃受部材
２０  コンセント部
２１  プラグ挿入用穴
２２  突出部
２３ａ，２３ｂ  端子挿入用孔
３０  ＤＣ−ＤＣコンバータ部
５４ａ，５４ｂ  ピン端子（プラグ側端子）
８０  取付枠
【図１】
2010067458.tif 000003
【図２】
2010067458.tif 000004
【図３】
2010067458.tif 000005
【図４】
2010067458.tif 000006
【図５】
2010067458.tif 000007
【図６】
2010067458.tif 000008
【図７】
2010067458.tif 000009
【図８】
2010067458.tif 000010
【図９】
2010067458.tif 000011
【図１０】
2010067458.tif 000012
【図１１】
2010067458.tif 000013
【図１２】
2010067458.tif 000014
【図１３】
2010067458.tif 000015
【図１４】
2010067458.tif 000016
【図１５】
2010067458.tif 000017
【図１６】
2010067458.tif 000018
【図１７】
2010067458.tif 000019
【図１８】
2010067458.tif 000020
【図１９】
2010067458.tif 000021
【図２０】
2010067458.tif 000022
【図２１】
2010067458.tif 000023
【図２２】
2010067458.tif 000024
【図２３】
2010067458.tif 000025